(57)【要約】【課題】  変調方式の変更に伴って伝送すべきシンボルの数が増大したときにも、既定の信号フォーマットにて対応できるようにする通信システム、送受信装置および情報送受信方法を提供する。【解決手段】  通信の対象となる情報要素の少なくとも一部を複数に分割し、この分割された情報要素を含む通信スロットを複数生成して、この通信スロットを送信する。【選択図】        図１
2006041953.tif 000002
【特許請求の範囲】
【請求項１】
送信側装置と、受信側装置とを含む通信システムであって、
前記送信側装置は、
通信の対象となる情報要素の少なくとも一部を複数に分割する手段と、
前記分割された情報要素を含む通信スロットを複数生成する手段と、
前記通信スロットを送信する手段と、
を含み、
前記受信側装置は、
前記送信側装置から、前記複数の通信スロットの信号を受信して、前記通信スロットに含まれる情報を蓄積する手段と、
前記蓄積された情報に基づいて、前記分割前の情報要素を再現する手段と、
とを含む
ことを特徴とする通信システム。
【請求項２】
通信の対象となる情報要素の少なくとも一部を複数に分割する手段と、
前記分割された情報要素を含む通信スロットを複数生成する手段と、
前記複数の通信スロットを送信する手段と、
を含む送信側装置。
【請求項３】
請求項２に記載の送信側装置であって、
前記情報要素に係る誤り検出符号を生成する手段と、
前記生成した誤り検出符号を、前記情報要素の分割数と同じ数に分割する手段と、
を含み、
前記通信スロットを生成する手段が、前記分割した誤り検出符号の各々を、前記分割された情報要素の各々とともに含む複数の通信スロットを生成することを特徴とする送信側装置。
【請求項４】
通信の対象となる情報要素の少なくとも一部が複数の部分に分割され、当該分割された各部分を各々含む複数の通信スロットの信号を受信して、前記通信スロットに含まれる情報を蓄積する手段と、
前記分割された各部分から分割前の情報要素を再現する手段と、
とを含むことを特徴とする受信側装置。
【請求項５】
通信の対象となる情報要素の少なくとも一部を複数に分割する工程と、
前記分割された情報要素を含む通信スロットを複数生成する工程と、
前記複数の通信スロットを送信する工程と、
を含む情報送信方法。
【請求項６】
通信の対象となる情報要素の少なくとも一部が複数の部分に分割され、当該分割された各部分を各々含む複数の通信スロットの信号を受信して、前記通信スロットに含まれる情報を蓄積する工程と、
前記分割された各部分から分割前の情報要素を再現する工程と、
とを含むことを特徴とする情報受信方法。
【発明の詳細な説明】
【技術分野】
【０００１】
本発明は、既定の通信フォーマットを利用して情報の送受信を行う通信システム、送受信装置および情報送受信方法に関する。
【背景技術】
【０００２】
ＰＨＳ（Personal Handy-phone System）などでは、通信に用いる信号のフォーマット（通信フォーマット）が予め定められている。例えばＰＨＳの場合、１つの基地局あたりに４つの移動局をカバーし、各移動局との通信を、時分割多重方式で多重化して行っている。具体的には図５に示すように、上り（移動局から基地局へ）の通信について、各移動局に対応した４つの通信スロット（slot）が割り当てられ、ついで下り（基地局から移動局へ）の通信について、各移動局に対応した４つの通信スロットが割り当てられている。この上り下り４つずつのスロットから１つのフレームの信号が規定され、１フレームあたり５ミリ秒の時間で通信が行われている。以下、このフレームにて、信号が繰り返し送受信される。
【０００３】
ＰＨＳの１つのスロット（通信用スロット）は一般に、ランプビットＲ（２シンボル）と、スタートビットＳＳ（１シンボル）、プリアンブルビットＰＲ（３シンボル）、ユニークワードＵＷ（８シンボル）、チャネル識別子ＣＩ（２シンボル）、制御ビットＳＡ（８シンボル）、ペイロードＰ（８０シンボル）、誤り検出ビットＣＲＣ（８シンボル）、そしてガードタイムに相当する８シンボル分の時間の総計１２０シンボル分の時間からなる。なお、ここでランプビットＲ、スタートビットＳＳ、プリアンブルビットＰＲ、ユニークワードＵＷは制御用の情報である。
【０００４】
ところで、通信システムで採用する信号の変調方式を適応的に変化させ、時々刻々と変化する伝播環境に対応した適切な変調方式にて通信を行う適応変調技術が提案されている（非特許文献１）。例えばＰＨＳにおいても、現状のπ／４シフトＱＰＳＫ（１シンボルで２ビットを転送）だけでなく、ＢＰＳＫ（１シンボルで１ビットを転送）など他の変調方式も利用可能として、所要信号雑音比を低減させ、基地局のカバーエリアを拡大する試みがなされている。
【非特許文献１】ＡＲＩＢ  ＳＴＡＮＤＡＲＤ  ＲＣＲ  ＳＴＤ−２８−１「第二世代コードレス電話システム標準規格」，４．０版，（１／２冊），ｐｐ．１９から２０
【発明の開示】
【発明が解決しようとする課題】
【０００５】
しかしながら、このＰＨＳの例にあるように、変調方式を変更することにより１シンボルあたりに転送可能な情報量が低くなることがある。この場合に、既存の信号フォーマットでは十分な情報が転送できない場合が生じる。
【０００６】
上記ＰＨＳの例では、図６（ａ）に示すように、制御用の情報を除く部分（チャネル識別子ＣＩ、制御ビットＳＡ、ペイロードＰ、誤り検出ビットＣＲＣ）のそれぞれがＢＰＳＫ変調されると（なお、制御用の信号部分は必ずπ／４シフトＱＰＳＫで変調されるものとする）、当該部分のシンボル数が倍となり、チャネル識別子ＣＩは４シンボル、制御ビットＳＡが１６シンボル、誤り検出ビットＣＲＣが１６シンボルとなる。これを元のフレーム長（１２０シンボル長）に収まるためには、ペイロードＰの部分で６２シンボル（６２ビット）しか転送できないこととなる。
【０００７】
しかるにＰＨＳの場合、音声データはＡＤＰＣＭコーデックで符号化されており、１６ｋｂｐｓにデータレートを落としたとしても、１６ｋｂｐｓ×５ミリ秒で８０ビットとなり、１フレームの時間あたり最低でも８０ビットを転送しなければならない。このため、図６（ａ）のフォーマットでは、８０ビットの信号を６２ビット以下に圧縮する等の処理が必要となって、処理負荷が高くなる。
【０００８】
そこで、図６（ｂ）に示すように、ユニークワードＵＷや制御ビットＳＡのビット長を短くしてペイロードに８０ビットを確保することも考えられる。しかし、この場合はユニークワードＵＷの削減によって復調特性（同期検波や空間多重特性）が劣化する恐れがある。このように復調特性が劣化すると、折角ＢＰＳＫ変調に変更したことによるカバーエリアの拡大の実効がなくなってしまう。
【０００９】
また、図６（ｃ）に示すように、誤り検出ビットＣＲＣや、制御ビットＳＡのビット長を短くしてペイロードに８０ビットを確保した場合、誤り検出能力が犠牲となり、通信誤りが生じているのに検出できず、通信が続けられ、利用性が低くなる。
【００１０】
このように、変調方式を変更する場合に、既定の信号フォーマットを利用すると、情報の伝送に支障を生じる場合がある。
【００１１】
本発明は上記実情に鑑みて為されたもので、変調方式の変更に伴って伝送すべきシンボルの数が増大したときにも、既定の信号フォーマットにて対応できるようにする通信システム、送受信装置および情報送受信方法を提供することを、その目的の一つとする。
【課題を解決するための手段】
【００１２】
上記従来例の問題点を解決するための本発明は、送信側装置と、受信側装置とを含む通信システムであって、前記送信側装置は、通信の対象となる情報要素の少なくとも一部を複数に分割する手段と、前記分割された情報要素を含む通信スロットを複数生成する手段と、前記通信スロットを送信する手段と、を含み、前記受信側装置は、前記送信側装置から、前記複数の通信スロットの信号を受信して、前記通信スロットに含まれる情報を蓄積する手段と、前記蓄積された情報に基づいて、前記分割前の情報要素を再現する手段と、とを含むことを特徴としている。
【００１３】
上記従来例の問題点を解決するための本発明は、送信側装置であって、通信の対象となる情報要素の少なくとも一部を複数に分割する手段と、前記分割された情報要素を含む通信スロットを複数生成する手段と、前記複数の通信スロットを送信する手段と、を含むことを特徴としている。
【００１４】
ここで、前記情報要素に係る誤り検出符号を生成する手段と、前記生成した誤り検出符号を、前記情報要素の分割数と同じ数に分割する手段と、をさらに含み、前記通信スロットを生成する手段が、前記分割した誤り検出符号の各々を、前記分割された情報要素の各々とともに含む複数の通信スロットを生成することとしてもよい。
【００１５】
また、上記従来例の問題点を解決するための本発明は、通信の対象となる情報要素の少なくとも一部が複数の部分に分割され、当該分割された各部分を各々含む複数の通信スロットの信号を受信して、前記通信スロットに含まれる情報を蓄積する手段と、前記分割された各部分から分割前の情報要素を再現する手段とを含むことを特徴としている。
【００１６】
さらに本発明の一態様に係る情報送信方法は、通信の対象となる情報要素の少なくとも一部を複数に分割する工程と、前記分割された情報要素を含む通信スロットを複数生成する工程と、前記複数の通信スロットを送信する工程と、を含むことを特徴としている。
【００１７】
また、本発明の一態様に係る情報受信方法は、通信の対象となる情報要素の少なくとも一部が複数の部分に分割され、当該分割された各部分を各々含む複数の通信スロットの信号を受信して、前記通信スロットに含まれる情報を蓄積する工程と、前記分割された各部分から分割前の情報要素を再現する工程と、を含むことを特徴としている。
【発明を実施するための最良の形態】
【００１８】
本発明の実施の形態について図面を参照しながら説明する。本発明の実施の形態に係る通信システムは、図１に示すように、移動局１と、基地局２とを含む。移動局１は、図１に示すように、無線部１１と、モデム部１２と、チャネルコーデック部１３と、ＡＤＰＣＭコーデック部１４と、制御部１５と、記憶部１６とを含んで構成されている。また基地局２は、無線部２１と、信号処理部２２と、有線部２３とを含んで構成されている。
【００１９】
移動局１の無線部１１は、アンテナに到来した信号を受信してモデム部１２に出力する。また、この無線部１１は、モデム部１２から入力される信号を変調して無線信号に変換し、当該無線信号をアンテナを介して放射する。
【００２０】
モデム部１２は、無線部１１から入力される信号を、制御部１５から入力される指示によって特定される変調方式で変調された信号として復調し、チャネルコーデック部１３に出力する。また、このモデム部１２は、チャネルコーデック部１３から入力される信号を、制御部１５から入力される指示によって特定される変調方式で変調し、無線部１１に出力する。
【００２１】
チャネルコーデック部１３は、モデム部１２から入力される信号をデフレーミングして、当該フレームに含まれるスロットと、当該スロットに含まれる信号要素とを抽出する。チャネルコーデック部１３は、この抽出した各信号要素を制御部１５に出力する。
【００２２】
また、このチャネルコーデック部１３は、制御部１５から入力される各信号からスロットを生成し、このスロットをフレーミングして、所定のフレームフォーマットの信号を生成し、当該フレームフォーマットの信号をモデム部１２に出力する。
【００２３】
ＡＤＰＣＭコーデック部１４は、マイク及びスピーカに接続されており、マイクから入力される音声信号を、ＡＤＰＣＭ信号に変調して制御部１５に出力する。また、このＡＤＰＣＭコーデック部１４は、制御部１５から入力されるＡＤＰＣＭ信号を復調して音声信号を再生し、スピーカを介して鳴動させる。本実施の形態のＡＤＰＣＭコーデック部１４では、３２ｋｂｐｓＡＤＰＣＭによる変復調と、１６ｋｂｐｓＡＤＰＣＭによる変復調とを、制御部１５から入力される指示に従って切り替えて実行する。
【００２４】
制御部１５は、ＣＰＵ等で実現できる。この制御部１５は、記憶部１６に格納されているプログラムに従って動作しており、モデム部１２における変復調方式を切り替える処理と、ＡＤＰＣＭコーデック部１４における変復調方式を切り替える処理と、チャネルコーデック部１３から入力される情報要素から、ＡＤＰＣＭ信号を再生する処理（受信時処理）と、各スロットに含める信号を生成して出力する処理（送信時処理）とを実行している。これらの各処理の内容については、後に詳しく説明する。
【００２５】
記憶部１６は、ＲＡＭ（Random Access Memory）や、ＲＯＭ（Read Only Memory）等のメモリ素子を含んで構成される。この記憶部１６は、制御部１５によって実行されるプログラムを記憶する。また、この記憶部１６は、制御部１５の処理の過程で生じる各種データを保持するワークメモリとしても動作する。
【００２６】
ここで、送信時処理を行う制御部１５等が、本発明の送信側装置に相当し、受信時処理を行う制御部１５等が受信側装置に相当する。
【００２７】
基地局２の無線部２１は、アンテナに到来した信号を受信して信号処理部２２に出力する。また、この無線部２１は、信号処理部２２から入力される信号を変調して無線信号に変換し、当該無線信号をアンテナを介して放射する。
【００２８】
信号処理部２２は、有線部２３から入力される信号から得られた情報に基づいて各スロットに含める信号を生成して出力する処理（送信時処理）を実行する。また、この信号処理部２２は、当該生成した信号を変調して無線部２１に出力する。
【００２９】
信号処理部２２は、さらに無線部２１から入力される信号を復号し、復号の結果得られた情報を有線部２３に出力する処理（受信時処理）を実行する。有線部２３は、有線の通信網に接続されており、当該通信網を介して受信される信号を信号処理部２２に出力する。また、この有線部２３は、信号処理部２２から入力される信号を当該通信網を介して送出する。
【００３０】
ここで移動局１の制御部１５の処理について説明する。制御部１５は、予め定めた条件判断により、送信する信号の変調方式を少なくともπ／４シフトＱＰＳＫ方式と、ＢＰＳＫ方式とのどちらとするかを判断し、その判断の結果をモデム部１２に出力する。この制御部１５は、上記変調方式をπ／４シフトＱＰＳＫ方式とする場合、ＡＤＰＣＭコーデック部１４に対して３２ｋｂｐｓＡＤＰＣＭによる変復調を行うよう指示する。また上記変調方式をＢＰＳＫ方式とする場合、制御部１５は、ＡＤＰＣＭコーデック部１４に対して１６ｋｂｐｓＡＤＰＣＭによる変復調を行うよう指示する。
【００３１】
制御部１５は、π／４シフトＱＰＳＫ方式による送信信号の変調を行うと決定したときには、ＡＤＰＣＭコーデック部１４から入力されるデータ（５ミリ秒あたり１６０ビット分のデータ）について誤り検出ビットＣＲＣ（１６ビット）を生成する。
【００３２】
そして制御部１５は、このＡＤＰＣＭコーデック部１４から入力されるデータを、ペイロードＰの情報要素とし、誤り検出ビットＣＲＣとともにチャネルコーデック部１３に出力する。この場合、チャネルコーデック部１３は、ランプビットＲ（２シンボル分）と、スタートビットＳＳ（１シンボル分）と、プリアンブルビットＰＲ（３シンボル分）と、ユニークワードＵＷ（８シンボル分）とからなる制御用の情報に続き、チャネル識別子ＣＩ（４ビット）、制御ビットＳＡ（１６ビット）、ペイロードＰ（１６０ビット）、誤り検出ビットＣＲＣ（１６ビット）の各情報要素をこの順に含んだスロットを生成し、モデム部１２に出力する。
【００３３】
ここでモデム部１２は、π／４シフトＱＰＳＫ方式によってチャネル識別子ＣＩ（４ビット）、制御ビットＳＡ（１６ビット）、ペイロードＰ（１６０ビット）、誤り検出ビットＣＲＣ（１６ビット）の各情報要素を変調するので、２ビットあたり１シンボルの信号となり、図５に示した従来のスロットが生成される。
【００３４】
一方、制御部１５は、ＢＰＳＫ方式による送信信号の変調を行うと決定したときには、ＡＤＰＣＭコーデック部１４から、１６ｋｂｐｓのＡＤＰＣＭの情報（５ミリ秒あたり８０ビット分のデータ）の入力を受けることになる。
【００３５】
制御部１５は、この場合、２ｎー１（ｎは整数）回目（つまり１，３，５…回目）に入力されたＡＤＰＣＭの情報を記憶部１６に格納して保持する。そしてそれに続く２ｎ回目（つまり、２，４，６…回目）に入力されたＡＤＰＣＭの情報と連接して、全体で１６０ビットのＡＤＰＣＭの情報を取得する。制御部１５は、この１６０ビットのＡＤＰＣＭの情報について誤り検出ビットＣＲＣ（１６ビット）を生成する。
【００３６】
さらに制御部１５は、チャネル識別子ＣＩ（４ビット）を２ビットずつの２つの部分チャネル識別子ＣＩａ、ＣＩｂに分割し、制御ビットＳＡ（１６ビット）を８ビットずつの２つの部分制御ビットＳＡａ，ＳＡｂに分割し、１６０ビットのＡＤＰＣＭの情報を８０ビットずつの部分ペイロードＰａ，Ｐｂに分割し、誤り検出ビットＣＲＣ（１６ビット）を８ビットずつの２つの部分誤り検出ビットＣＲＣａ，ＣＲＣｂに分割する。
【００３７】
そして、分割によって得られた、各部分情報要素（部分チャネル識別子、部分制御ビット、部分ペイロード、部分誤り検出ビット）を連接して、それぞれ、第１の部分情報要素列（図２（ａ））と、第２の部分情報要素列（図２（ｂ））と、を生成する。ここで第１の部分情報要素列には、部分チャネル識別子ＣＩａ、部分制御ビットＳＡａ、部分ペイロードＰａ、部分誤り検出ビットＣＲＣａを含み、第２の部分情報要素列には、部分チャネル識別子ＣＩｂ、部分制御ビットＳＡｂ、部分ペイロードＰｂ、部分誤り検出ビットＣＲＣｂを含む。
【００３８】
制御部１５は、これら部分情報要素列を順次、チャネルコーデック部１３に出力する。チャネルコーデック部１３は、ランプビットＲ（２シンボル分）と、スタートビットＳＳ（１シンボル分）と、プリアンブルビットＰＲ（３シンボル分）と、ユニークワードＵＷ（８シンボル分）とからなる制御用の情報を、各部分情報要素列に付加して、２つ分のスロットを生成し、モデム部１２に出力する。ここでモデム部１２は、ＢＰＳＫ方式によって、部分チャネル識別子ＣＩ（２ビット）、部分制御ビットＳＡ（８ビット）、部分ペイロードＰ（８０ビット）、部分誤り検出ビットＣＲＣ（８ビット）の各情報要素を変調するので、２ビットあたり１シンボルの信号となり、図３（ａ），（ｂ）に示したスロットが生成されて送信される。なお、制御用の情報の部分は、常にπ／４シフトＱＰＳＫ方式で変調されるものとする。
【００３９】
次に受信時の処理について説明する。本実施の形態の移動局１は、受信の際にも、π／４シフトＱＰＳＫ方式によって変調された信号と、ＢＰＳＫ方式によって変調された信号と、のいずれかを受信することになる。具体的に制御部１５は、π／４シフトＱＰＳＫ方式による受信信号の復調を行うと決定したときには、チャネルコーデック部１３でデフレーミングされて、各スロットの信号から抽出された情報要素列の入力を受け入れる。この情報要素列は、チャネル識別子ＣＩ（４ビット）、制御ビットＳＡ（１６ビット）、ペイロードＰ（１６０ビット）、誤り検出ビットＣＲＣ（１６ビット）となる。この場合、制御部１５は、従来と同様の誤り訂正処理等を行った後、ペイロードＰ部分に含まれる３２ｋｂｐｓＡＤＰＣＭの情報をＡＤＰＣＭコーデック部１４に出力する。
【００４０】
一方、制御部１５は、ＢＰＳＫ方式による受信信号の復調を行うと決定したときには、チャネルコーデック部１３でデフレーミングされ、スロットの信号から抽出された情報要素列の入力を受け入れる。ここで入力される情報要素列は、分割に係る情報要素列（部分情報要素の列）であるので、制御部１５は、次の処理により、分割前の情報要素を再現する。なお、以下の説明では、各情報要素は２分割されたものとして説明する。
【００４１】
すなわち制御部１５は、２ｎ−１（ｎは整数）回目（つまり１，３，５…回目）に受信したスロットから取り出された各情報要素を記憶部１６に格納して保持する。そして、それに続く２ｎ回目（つまり、２，４，６…回目）に受信したものから取り出した各情報要素を、記憶部１６に保持した、対応する情報要素の各々に連接する。
【００４２】
具体的に、２ｎ−１回目に受信したスロットから部分情報要素として、部分チャネル識別子ＣＩａ、部分制御ビットＳＡａ、部分ペイロードＰａ、部分誤り検出ビットＣＲＣａが取り出されたときに、制御部１５は、これらを記憶部１６に格納しておく。そして、２ｎ回目に受信したスロットから取り出された部分情報要素、部分チャネル識別子ＣＩｂ、部分制御ビットＳＡｂ、部分ペイロードＰｂ、部分誤り検出ビットＣＲＣｂの各々を、記憶部１６に格納されている部分情報要素に連接して、元の情報要素、チャネル識別子ＣＩ（４ビット）と、制御ビットＳＡ（１６ビット）と、１６０ビットのＡＤＰＣＭの情報であるペイロードＰと、誤り検出ビットＣＲＣ（１６ビット）とを再現する。
【００４３】
そして制御部１６は、誤り訂正処理等を行った後、ペイロードＰ部分に含まれる１６ｋｂｐｓＡＤＰＣＭの情報をＡＤＰＣＭコーデック部１４に出力する。
【００４４】
次に、基地局２側の信号処理部２２の動作について説明する。この信号処理部２２は、移動局１における処理と同様にπ／４ＱＰＳＫ又はＢＰＳＫのいずれかの方式によってスロットの一部を変復調する。そして、π／４ＱＰＳＫによってスロットの一部を変調するときには、従来と同じスロットのフォーマットにて情報要素を伝送し、ＢＰＳＫによってスロットの一部を変調するときには、図３（ａ），（ｂ）に示したように、一部の情報要素を分割し、複数のスロットを利用して各分割部分を伝送する（送信時処理）。
【００４５】
また、受信時処理として、π／４ＱＰＳＫによってその一部が変調されたスロットの情報を受信したときには、従来と同様に処理する。また、ＢＰＳＫによってその一部が変調されたスロットの情報を受信したときには、分割に係る部分情報要素を保持し、各部分情報要素から分割前の情報要素を再現する。
【００４６】
このように本実施の形態によると、従来と同様のスロットフォーマットを利用しつつ、ＢＰＳＫ方式で変調した信号を送受信できるようになる。
【００４７】
またここまでの説明では、２ｎ−１番目のスロットと、２ｎ番目のスロットとで同じ（部分）情報要素を含めているが、情報要素の分割やスロットの形成態様は、これに限られるものではない。例えば制御部１５は、チャネル識別子ＣＩと、ペイロードＰとを２つに分割し、制御ビットＳＡと、誤り検出ビットＣＲＣとは分割せずにおき、２ｎ−１番目のスロットには、分割した部分チャネル識別子ＣＩａ（２ビット）と、制御ビットＳＡの全体（１６ビット）と、分割した部分ペイロードＰａ（８０ビット）とを含め（図４（ａ））、２ｎ番目のスロットには、分割した部分チャネル識別子ＣＩｂ（２ビット）及び部分ペイロードＰｂ（８０ビット）と、誤り検出ビットの全体（１６ビット）とを含めて送信する（図４（ｂ））ようにしてもよい。
【００４８】
このように分割されたスロットを受信した場合は、部分チャネル識別子及び部分ペイロードを記憶部１６に蓄積し、分割に係る部分情報要素をすべて受信してから、それらを連接し、チャネル識別子や、ペイロードの情報の全体を再現することになる。図４に示した例の場合、２ｎ−１番目のスロットの２９ビット目から３０ビット目までと、２ｎ番目のスロットの２９ビット目から３０ビット目までとを連接して、チャネル識別子ＣＩの全体を再現し、２ｎ−１番目のスロットの４７ビット目から１２６ビット目までと、２ｎ番目のスロットの３１ビット目から１１０ビット目までとを連接してペイロードＰの全体を再現することになる。なお、基地局２においても同様に図４（ａ）、（ｂ）に示したスロットフォーマットを採用することができる。
【００４９】
また、ここでは分割の態様として、ｐビットの情報要素をｋ個に分割する場合、先頭から［ｐ／ｋ］ビット（ここで［＊］は、［］内の値を越えない最大の整数を意味する）ずつ取り出して分割を行うこととしているが、これに限られるものではなく、例えば２つに分割する場合に、奇数番目のビットからなるビット列と、偶数番目のビットからなるビット列とに分割してもよい。
【００５０】
このように本実施の形態によると、伝送の対象となる情報要素の少なくとも一部のビット列を分割して、部分ビット列を生成し、各部分ビット列を順次、複数のスロットに分けて伝送する。また、この分割に係る部分ビット列を含むスロットを受信した側では、当該部分ビット列を記憶部に保持した上で、分割に係るすべての部分ビット列が受信されたときに、これらを合成（分割の態様によっては例えば連接）して、元の分割前のビット列を再現する。これにより、変復調の方式を変更したなどの事情によって伝送する情報要素のビット数が増減しても、規定のスロットフォーマットを利用した伝送が可能となる。
【図面の簡単な説明】
【００５１】
【図１】本発明の実施の形態に係る通信システムの例を表す構成ブロック図である。
【図２】本発明の実施の形態に係る通信システムにおいて送受信されるスロットに含まれる情報要素列の構成例を表す説明図である。
【図３】本発明の実施の形態に係る通信システムにおいて送受信されるスロットの構造例を表す説明図である。
【図４】本発明の実施の形態に係る通信システムにおいて送受信されるスロットの別の構造例を表す説明図である。
【図５】ＰＨＳにおけるフレーム構造の例を表す説明図である。
【図６】適応変調を行う際のスロットの構造例を表す説明図である。
【符号の説明】
【００５２】
１  移動局、２  基地局、１１，２１  無線部、１２  モデム部、１３  チャネルコーデック部、１４  ＡＤＰＣＭコーデック部、１５  制御部、１６  記憶部、２２  信号処理部、２３  有線部。
【図１】
2006041953.tif 000003
【図２】
2006041953.tif 000004
【図３】
2006041953.tif 000005
【図４】
2006041953.tif 000006
【図５】
2006041953.tif 000007
【図６】
2006041953.tif 000008